(57)【要約】【課題】利用可能な記録領域を拡大でき記録容量の増加が可能である光ディスクを提供する。また、利用可能な記録領域を拡大した光ディスクについて記録・再生が可能でありかつ小型化の可能な記録再生システムを提供する。【解決手段】この記録再生システムは、記録または再生を行うための光が入射する光入射面２と中心孔４とを有する光ディスク１について記録及び／又は再生が可能であり、光ディスクを中心孔及び／又はその近傍でクランプするクランプ台１３と、クランプ台を介して光ディスクを回転させるためのモータ１１と、光ディスクの半径方向に相対的に移動しながら記録または再生を行うために光入射面に光を照射するピックアップ部１２と、を備え、クランプだい１３が光ディスクをクランプしたときクランプ台の光ディスクの光入射面側の面１３ａが光入射面２に対してほぼフラットな高さ関係となる。【選択図】  図１
2005032348.tif 000002
【特許請求の範囲】
【請求項１】
記録または再生を行うための光が入射する光入射面側の基板の内周部を記録再生システム側のクランプ台が入り込み可能な凹状部に形成し、前記凹状部内に前記クランプ台がクランプされるクランプ領域を構成することを特徴とする光ディスク。
【請求項２】
前記凹状部の凹み深さに相当する厚さを有するように前記基板の反対面に凸状部を設けたことを特徴とする請求項１に記載の光ディスク。
【請求項３】
記録または再生を行うための光が入射する光入射面と中心孔とを有する光ディスクについて記録及び／又は再生を行うための記録再生システムであって、
前記光ディスクを前記中心孔及び／又はその近傍でクランプ台によりクランプするクランプ手段と、
前記クランプ手段を介して前記光ディスクを回転させるための回転駆動手段と、
前記光ディスクの半径方向に相対的に移動しながら記録または再生を行うために前記光入射面に光を照射するピックアップ手段と、を備え、
前記クランプ手段が前記光ディスクをクランプしたとき前記クランプ台の前記光ディスクの光入射面側の面が前記光入射面に対してほぼフラットな高さ関係となるように構成されていることを特徴とする記録再生システム。
【請求項４】
前記中心孔より大径のクランプ部品を前記光ディスクに対し前記光入射面の反対面の内周部に一体的に固着し、前記クランプ手段が前記クランプ部品をクランプすることを特徴とする請求項３に記載の記録再生システム。
【請求項５】
記録または再生を行うための光が入射する光入射面側の基板の内周部に形成した凹状部内にクランプ領域を構成した光ディスクについて記録及び／又は再生を行うための記録再生システムであって、
前記光ディスクのクランプ領域に嵌り込むクランプ台と前記光ディスクの中心孔に嵌り込むクランプ軸とを有するクランプ手段と、
前記クランプ手段を介して前記光ディスクを回転させるための回転駆動手段と、
前記光ディスクの半径方向に相対的に移動しながら記録または再生を行うために前記光ディスクに光を照射するピックアップ手段と、を備え、
前記クランプ台は前記クランプ領域に嵌り込んだとき前記光ディスクの光入射面側の面が前記光ディスクの光入射面に対してほぼフラットな高さ関係となるように構成されていることを特徴とする記録再生システム。
【請求項６】
前記光ディスクの光入射面の反対面側に前記クランプ手段を押さえるクランプ押さえ手段が配置されることを特徴とする請求項５に記載の記録再生システム。
【請求項７】
請求項３乃至６のいずれか１項に記載の記録再生システムにより記録及び／又は再生が可能な光ディスクであって、外径が６０ｍｍ以下、中心孔の直径が１０ｍｍ以下、全体厚さが０．８ｍｍ以下、カバー層の厚さが０．１ｍｍ以下であることを特徴とする光ディスク。
【発明の詳細な説明】
【０００１】
【発明の属する技術分野】
本発明は、光ディスク及び記録再生システムに関するものである。
【０００２】
【従来の技術】
従来、光ディスクはＣＤ・ＤＶＤ・ＢＤ（Ｂｌｕ−ｒａｙ  Ｄｉｓｃ）などが市販されている。光ディスクには中心孔があり、記録再生機器への装着時には回転中心の芯出しに利用され、その直径は１５ｍｍであり、直径を揃えることで１つの機器で多種の光ディスクを記録・再生することが容易となっている。また、光ディスクの厚さや外径も揃えており、厚さ１．２ｍｍ、外径１２０ｍｍ（８０ｍｍもある）となっている。他の例としては、ＭＤは中心孔の直径が１１ｍｍであり、ＭＯディスクは独自のハブによる装着機構のため、上述の光ディスクとは互換性が無く、独自マーケットを形成している。このように情報記録媒体の互換性を重視する場合と、独自の方式を採用する場合があり、どちらを選択するかは各社の判断による。
【０００３】
従来の光ディスクの記録・再生システムについて図６を参照してその一例を説明する。図６の記録・再生システムによる再生の場合、光ディスクＤの中心孔Ｄ１にクランプ台Ｃのクランプ軸Ｃ１が嵌り込み、クランプ台Ｃの反対側からクランプ押さえ部Ｈが光ディスクＤを中心孔Ｄ１の近傍でスプリングＳにより押さえ付け、クランプ台Ｃが光ディスクＤを中心孔Ｄ１の近傍のクランプ領域Ｄ２で固定した状態でスピンドルモータＭが回転しクランプ台Ｃを介して光ディスクＤを回転させながらピックアップＰで光ディスクからの情報を読み取る。
【０００４】
ところで、近年、機器の小型化によるモバイル製品の普及が進んでおり、これらの中には情報記録媒体が組込まれるものがある。その情報記録媒体としてはハードディスク、光ディスク、半導体メモリ、磁気テープ等が可能であり、光ディスクはランダムアクセスができる安価な情報記録媒体として有用である。しかし、現状の光ディスクでは外径が大きく、モバイル機器には適さない。そこで、小径の光ディスクが必要となるが、小径にすることで記録面積が低下し記録容量も小さくなり、今後の情報量の増大に対応できないため、小径でありながら記録容量の低下を極力抑えることが重要である。
【０００５】
記録容量を増加させるには、高密度に適した光学系の採用や、記録面積の拡大などがある。光学系では、レーザの短波長化と対物レンズの高ＮＡ化により集光スポットサイズを小さくすることで対応可能であり、また、記録面積の拡大としては多層化による面積の増加と、ディスクの投影面積に占める記録領域の拡大で対応可能である。記録領域の拡大については、現状では光ディスク外周部への拡大は限界に近く、内周部への拡大が重要であり、ディスク中心孔は小さい方が当然有利である。しかし、光ディスクの内周部には、図６のように、スピンドルモータＭや光ディスクのクランプ台Ｃが配置されるので、記録領域の拡大は簡単ではない。なお、スピンドルモータＭとピックアップＰとを光ディスクＤを挟んで両側に分けて配置する構成も可能であるが、両側配置のため記録再生機器の厚さが大きくなるので、同じ側に配置することが望ましい。
【０００６】
【発明が解決しようとする課題】
本発明は、上述のような従来技術の問題に鑑み、利用可能な記録領域を拡大でき記録容量の増加が可能である光ディスクを提供することを目的とする。また、利用可能な記録領域を拡大した光ディスクについて記録・再生が可能でありかつ小型化の可能な記録再生システムを提供することを目的とする。
【０００７】
【課題を解決するための手段】
上記目的を達成するために、本発明による光ディスクは、記録または再生を行うための光が入射する光入射面側の基板の内周部を記録再生システム側のクランプ台が入り込み可能な凹状部に形成し、前記凹状部内に前記クランプ台がクランプされるクランプ領域を構成することを特徴とする。
【０００８】
この光ディスクによれば、基板の内周部の凹状部内にクランプ領域を構成し、このクランプ領域に記録再生システム側のクランプ台が入り込むことができるので、記録または再生を行うための光を照射する記録再生システム側のピックアップ部が光ディスクに対し半径方向の内周部側に移動するときクランプ台により位置制限を受けない。このため、光ディスクの内周側に利用可能な記録領域を拡大でき記録容量の増加が可能となる。
【０００９】
上記光ディスクにおいて前記凹状部の凹み深さに相当する厚さを有するように前記基板の反対面に凸状部を設けることが好ましい。これにより、凹状部を設けたことによる強度低下を補償することができる。
【００１０】
本発明による記録再生システムは、記録または再生を行うための光が入射する光入射面と中心孔とを有する光ディスクについて記録及び／又は再生を行うための記録再生システムであって、前記光ディスクを前記中心孔及び／又はその近傍でクランプ台によりクランプするクランプ手段と、前記クランプ手段を介して前記光ディスクを回転させるための回転駆動手段と、前記光ディスクの半径方向に相対的に移動しながら記録または再生を行うために前記光入射面に光を照射するピックアップ手段と、を備え、前記クランプ手段が前記光ディスクをクランプしたとき前記クランプ台の前記光ディスクの光入射面側の面が前記光入射面に対してほぼフラットな高さ関係となるように構成されていることを特徴とする。
【００１１】
この記録再生システムによれば、クランプ手段が光ディスクをクランプしたときクランプ台の光ディスクの光入射面側の面と光入射面とがほぼフラットな高さ関係となるので、ピックアップ手段が半径方向に光ディスクの内周部側に移動するときクランプ台から位置制限を受けずに移動できる。このため、記録容量の増加のために内周側に利用可能な記録領域を拡大した光ディスクについて記録・再生が可能となる。また、クランプ手段と回転駆動手段とピックアップ手段とを光ディスクの光入射面側に配置できるので、記録再生システムを小型化できる。なお、クランプ台の光ディスクの光入射面側の面は光入射面よりも凹であれば問題はないが、凸であるときにはその突き出し量は０．１ｍｍ以下が好ましい。
【００１２】
上記記録再生システムにおいて前記中心孔より大径のクランプ部品を前記光ディスクに対し前記光入射面の反対面の内周部に一体的に固着し、前記クランプ手段が前記クランプ部品をクランプするように構成できる。
【００１３】
本発明による別の記録再生システムは、記録または再生を行うための光が入射する光入射面側の基板の内周部に形成した凹状部内にクランプ領域を構成した光ディスクについて記録及び／又は再生を行うための記録再生システムであって、前記光ディスクのクランプ領域に嵌り込むクランプ台と前記光ディスクの中心孔に嵌り込むクランプ軸とを有するクランプ手段と、前記クランプ手段を介して前記光ディスクを回転させるための回転駆動手段と、前記光ディスクの半径方向に相対的に移動しながら記録または再生を行うために前記光ディスクに光を照射するピックアップ手段と、を備え、前記クランプ台は前記クランプ領域に嵌り込んだとき前記光ディスクの光入射面側の面が前記光ディスクの光入射面に対してほぼフラットな高さ関係となるように構成されていることを特徴とする。
【００１４】
この記録再生システムによれば、クランプ台が光ディスクのクランプ領域に嵌り込んだときクランプ台の光ディスクの光入射面側の面と光入射面とがほぼフラットな高さ関係となるので、ピックアップ手段が半径方向に光ディスクの内周部側に移動するときクランプ台から位置制限を受けずに移動できる。このため、記録容量の増加のために内周側に利用可能な記録領域を拡大した光ディスクについて記録・再生が可能となる。また、クランプ手段と回転駆動手段とピックアップ手段とを光ディスクの光入射面側に配置できるので、記録再生システムを小型化できる。なお、クランプ台の光ディスクの光入射面側の面は光入射面よりも凹であれば問題はないが、凸であるときにはその突き出し量は０．１ｍｍ以下が好ましい。
【００１５】
上記記録再生システムにおいて前記光ディスクの光入射面の反対面側に前記クランプ手段を押さえるクランプ押さえ手段が配置されることが好ましい。
【００１６】
本発明による別の光ディスクは、上述の各記録再生システムにより記録及び／又は再生が可能な光ディスクであって、外径が６０ｍｍ以下、中心孔の直径が１０ｍｍ以下、厚さが０．８ｍｍ以下、カバー層の厚さが０．１ｍｍ以下であることを特徴とする。この光ディスクによれば、小型化可能でかつ利用可能な記録領域を拡大できるので、小型化したモバイル製品のランダムアクセス可能なメモリ等として適用可能となる。
【００１７】
【発明の実施の形態】
以下、本発明による第１及び第２の実施の形態について図面を用いて説明する。
【００１８】
〈第１の実施の形態〉
【００１９】
図１は第１の実施の形態を示す光ディスクの記録再生システムの概略的な側断面図である。
【００２０】
図１に示すように、光ディスク１は、記録・再生のために光が照射され入射する光入射面２と、中心孔４と、中心孔４の外周側に光入射面２から凹むように設けられた凹状部５と、凹状部５の底面に設けられたクランプ領域６と、を備える。光入射面２は光透過性樹脂から形成されたカバー層から構成され、カバー層の奥側には記録膜や反射膜等が形成されている。
【００２１】
光ディスク１は、ポリカーボネート樹脂（ＰＣ）等からなる基板によって構成され、例えば再生専用の光ディスクの場合、基板に形成されたプレピットの上にアルミニウム等からなる反射膜がスパッタリング等により形成されている。また、記録タイプの場合は基板にランドグルーブが形成され、その上に記録膜等が形成される。
【００２２】
光ディスク１では、記録領域７が上述の反射膜や記録膜等が形成されることによって構成され、記録領域７に対して光入射面２側から記録・再生が行われる。記録領域７が凹状部５近傍の内周部７ａまで形成されているので、内周側に利用可能な記録領域が拡大されており、記録容量が増加している。また、凹状部５の底面のクランプ領域６は例えば粗面に形成されることで記録再生システムのクランプ台１３の接触面との間で大きな摩擦力を得ることができるようになっている。
【００２３】
図１の記録再生システムは、光ディスク１を回転駆動するためのスピンドルモータ１１と、光ディスク１の光入射面２にレーザ光源から対物レンズ等の光学系を介し光を照射し、再生時に記録領域７の凹凸ピットで変調された反射光を受光素子で受光できるピックアップ部１２と、スピンドルモータ１１により回転駆動されるとともに光ディスク１の中心孔４に嵌り込むクランプ軸１４を有し光入射面２に形成された凹状部５に嵌り込み可能なクランプ台１３と、光ディスク１の光入射面２の反対面３側であって中心孔４の周囲近傍に設けられたクランプ押さえ部１５と、クランプ押さえ部１５を図の下方に付勢するばね部材１６と、を備える。
【００２４】
図１の記録再生システムでは、光ディスク１の記録または再生を行うとき、クランプ台１３が光ディスク１の光入射面２の凹状部５に嵌り込みクランプ軸１４が中心孔４に嵌り込むとともにクランプ押さえ部１５が反対面３側からばね部材１６の付勢力によるクランプ力で押さえ付けることにより光ディスク１は凹状部５内のクランプ領域６でクランプされ確実に固定される。
【００２５】
ピックアップ部１２は、光ディスク１の光入射面２に接近した状態で光ディスク１の半径方向に移動可能であり、光ディスク１がスピンドルモータ１１によりクランプ台１３を介して回転駆動された状態で、光入射面２に光を照射しながら記録または再生を行うことができる。
【００２６】
クランプ台１３が光ディスク１の光入射面２に形成された凹状部５に嵌り込みクランプ領域６でクランプされたとき、クランプ台１３の外側の面１３ａは光入射面２とほぼ同じ高さになり、外側の面１３ａと光入射面２とがほぼフラットになる。このため、ピックアップ部１２が光入射面２に対し接近した状態で記録または再生を行うため光ディスク１の半径方向の内周側に移動するとき、クランプ台１３が邪魔にならず、ピックアップ部１２はクランプ台１３から位置制限を受けずに記録領域７の凹状部５近傍の内周部７ａをカバーするように移動できる。
【００２７】
従って、図１の記録再生システムによれば、記録容量の増加のために内周部７ａまで利用できるように記録領域７を拡大した光ディスク１について記録・再生が可能となる。また、スピンドルモータ１１とピックアップ部１２とクランプ台１３とを光ディスク１の光入射面２の同一面側に配置できるので、記録再生システムを小型化できる。
【００２８】
なお、クランプ台１３の外側の面１３ａが光入射面２に対し凹んでいればピックアップ部１２の移動に問題はないが、面１３ａが光入射面２よりも突き出ている場合、ピックアップ部と光ディスクとのワーキングデスタンスを考慮すると、その突きだし量は０．１ｍｍ以下が好ましい。
【００２９】
次に、図１の光ディスク１の変形例を図２により説明する。図２は図１と同様の記録再生システムの概略的な側断面図である。
【００３０】
図２に示す光ディスク１は、光ディスク１の反対面３の中心孔４の周囲に凸状部８を設けた以外は図１と同様に構成されている。凸状部８の厚さは凹状部５の凹み深さにほぼ相当し、光入射面２側に凹状部５を形成したことによる強度低下を補償することができる。
【００３１】
図２のように、凸状部８を設けた光ディスク１は図１と同様の記録再生システムにより記録・再生が可能である。この場合、クランプ押さえ部１５が光ディスク１の凸状部８を押さえ付ける。
【００３２】
次に、図１の記録再生システムの変形例を図３、図４により説明する。図３は図１と同様の記録再生システムの概略的な側断面図である。図４は図３のクランプ軸の内部上面図である。
【００３３】
図３に示す記録再生システムは、クランプ台でクランプ力を得るための機構が異なる以外は図１と同様の構成であり、図３のクランプ台１３のクランプ軸１４は先端側外周１４ａに複数の爪部１７を有している。
【００３４】
複数の爪部１７は、図４のように、クランプ軸１４の内部に設けられた各ばね１７ａにより半径方向外側に先端側外周１４ａへと突き出るように付勢されており、また先端側外周１４ａ側から押し込まれると、図の破線のように内部に収まるようになっている。
【００３５】
図３、図４の記録再生システムでは、光ディスク１の記録または再生を行うとき、クランプ台１３が光ディスク１の光入射面２の凹状部５に嵌り込みクランプ軸１４が中心孔４に嵌り込み、クランプ軸１４の先端が中心孔４から反対面３側に突き出ると、ばね１７ａの付勢力に抗して内部に押し込まれていた複数の爪部１７がクランプ軸１４の先端側外周１４ａから突き出ることで、複数の爪部１７が光ディスク１を反対面３側から図の下方に付勢することでクランプ力を得ることができる。
【００３６】
上述のようにして、複数の爪部１７が反対面３側からクランプ力で押さえ付けることにより光ディスク１は凹状部５内のクランプ領域６でクランプされ確実に固定される。
【００３７】
図３、図４の記録再生システムによれば、図１，図２と同様に、クランプ台１３の外側の面１３ａと光ディスク１の光入射面２とがほぼフラットになるので、ピックアップ部１２が光ディスク１の半径方向の内周側に移動するとき、クランプ台１３が邪魔にならず、記録領域７の凹状部５近傍の内周部７ａをカバーするように移動できるので、記録容量の増加のために内周部７ａまで利用できるように記録領域７を拡大した光ディスク１について記録・再生が可能となる。
【００３８】
また、図３，図４の構成によれば、図１，図２のクランプ押さえ部１５とばね部材１６とを省略できるので、記録再生システムの更なる小型化に寄与できる。なお、図３においても図２のような凸状部８を有する光ディスク１について記録・再生を行うようにできる。
【００３９】
〈第２の実施の形態〉
【００４０】
図５は第２の実施の形態を示す光ディスクの記録再生システムの概略的な側断面図である。
【００４１】
図５に示す光ディスク１０は、図１の凹状部５を省略し中心孔９がクランプ台２３全体が嵌り込み可能なように図１の光ディスク１よりも大径に構成されている以外は、図１の光ディスク１と同様に構成されている。光ディスク１０では、記録領域７が図１と同様に反射膜または記録膜で形成されており、記録領域７の表面が光入射面２となっている。記録領域７が中心孔９近傍の内周部７ａまで形成されているので、内周側に利用可能な記録領域が拡大されており、記録容量が増加している。
【００４２】
図５の記録再生システムは、光ディスク１０を回転駆動するためのスピンドルモータ１１と、光ディスク１０の光入射面２にレーザ光源から対物レンズ等の光学系を介し光を照射し、再生時に記録領域７の凹凸ピットで変調された反射光を受光素子で受光できるピックアップ部１２と、スピンドルモータ１１により回転駆動されるとともに光ディスク１０の中心孔９に嵌り込むクランプ台２３と、光ディスク１０の光入射面２の反対面３側であって中心孔９の周囲近傍に接着剤層２７で固着されたクランプ部２５と、クランプ部２５を図の下方に付勢するばね部材２６と、を備える。
【００４３】
図５の記録再生システムでは、光ディスク１０の記録または再生を行うとき、クランプ台２３が光ディスク１０の中心孔９に嵌り込むと、クランプ台２３の上端側の突き当て部２４が光ディスク１０の反対面３側に固着されたクランプ部２５に突き当たるとともに、クランプ部２５の上方からばね部材２６の付勢力によるクランプ力で押さえ付けることにより光ディスク１０がクランプされ確実に固定される。
【００４４】
ピックアップ部１２は、光ディスク１０の光入射面２に接近した状態で光ディスク１０の半径方向に移動可能であり、光ディスク１０がスピンドルモータ１１によりクランプ台２３を介して回転駆動された状態で、光入射面２に光を照射しながら記録または再生を行うことができる。
【００４５】
図５のように、クランプ台２３が光ディスク１０の中心孔９に嵌り込みクランプ部２５でクランプされたとき、クランプ台１３の図の下側の面２３ａは光入射面２とほぼ同じ高さになり、面２３ａと光入射面２とがほぼフラットになる。このため、ピックアップ部１２が光入射面２に対し接近した状態で記録または再生を行うため光ディスク１０の半径方向の内周側に移動するとき、クランプ台２３が邪魔にならず、ピックアップ部１２はクランプ台２３から位置制限を受けずに記録領域７の中心孔９近傍の内周部７ａをカバーするように移動できる。
【００４６】
従って、図５の記録再生システムによれば、記録容量の増加のために内周部７ａまで利用できるように記録領域７を拡大した光ディスク１０について記録・再生が可能となる。また、スピンドルモータ１１とピックアップ部１２とクランプ台２３とを光ディスク１０の光入射面２の同一面側に配置できるので、記録再生システムを小型化できる。
【００４７】
なお、クランプ台２３の下側の面２３ａが光入射面２に対し凹んでいればピックアップ部１２の移動に問題はないが、面２３ａが光入射面２よりも突き出ている場合、ピックアップ部と光ディスクとのワーキングデスタンスを考慮すると、その突きだし量は０．１ｍｍ以下が好ましい。
【００４８】
また、図１〜図５の各記録再生システムにより記録・再生が可能な光ディスク１，１０は、外径が６０ｍｍ以下、中心孔の直径が１０ｍｍ以下、厚さが０．８ｍｍ以下、カバー層の厚さが０．１ｍｍ以下、記録層が複数であるように構成できる。かかる光ディスク１，１０によれば、小型化した場合でも上述のように内周側で利用できる記録領域を拡大できるので、小型化したモバイル製品のランダムアクセス可能なメモリ等として適用できる。
【００４９】
以上のように本発明を実施の形態により説明したが、本発明はこれらに限定されるものではなく、本発明の技術的思想の範囲内で各種の変形が可能である。例えば、図１、図２、図５においてばね部材１６、２６の代わりにマグネットを配置し、このマグネットによりクランプ力を得るようにしてもよく、ばね部材が省略できる分、記録再生システムの小型化が可能となる。
【００５０】
【発明の効果】
本発明によれば、利用可能な記録領域を拡大でき記録容量の増加が可能である光ディスクを提供できる。また、利用可能な記録領域を拡大した光ディスクについて記録・再生が可能でありかつ小型化の可能な記録再生システムを提供できる。
【図面の簡単な説明】
【図１】第１の実施の形態を示す光ディスクの記録再生システムの概略的な側断面図である。
【図２】図１の光ディスクの変形例を示し、図１と同様の記録再生システムの概略的な側断面図である。
【図３】図１の変形例を示す記録再生システムの概略的な側断面図である。
【図４】図３のクランプ軸の内部上面図である。
【図５】第２の実施の形態を示す光ディスクの記録再生システムの概略的な側断面図である。
【図６】従来の光ディスクの記録再生システムの概略的な側断面図である。
【符号の説明】
１，１０・・・光ディスク
２・・・光入射面
４，９・・・中心孔
５・・・凹状部
６・・・クランプ領域
７・・・記録領域
７ａ・・・内周部
８・・・凸状部
１１・・・スピンドルモータ
１２・・・ピックアップ部
１３・・・クランプ台
１４・・・クランプ軸
１５・・・クランプ押さえ部
１６・・・ばね部材
１７・・・爪部
２３・・・クランプ台
２４・・・突き当て部
２５・・・クランプ部
【図１】
2005032348.tif 000003
【図２】
2005032348.tif 000004
【図３】
2005032348.tif 000005
【図４】
2005032348.tif 000006
【図５】
2005032348.tif 000007
【図６】
2005032348.tif 000008